(57)【要約】【課題】  強制換羽あるいは誘導換羽を行なう際、単波長の中でも特に短波長光を鶏に照射して産卵性を低下させることで、鶏にかかるストレスを軽減すると共に、換羽後の産卵および卵質の回復を早めることで経済的な損失をおさえて、飼育期間の延長を図り、また、単波長の光を鶏に照射して鶏の産卵時間を調整することで、集卵の便宜を図ることである。【解決手段】  ４００〜５５０ｎｍの波長域から選択された一又は二以上の単波長の光を鶏に照射することによって鶏の産卵を抑制し、あるいは鶏の産卵時間を調整する光照射による鶏の産卵調整方法。【選択図】  なし【特許請求の範囲】
【請求項１】
４００〜５５０ｎｍの波長域から選択された一又は二以上の単波長の光を鶏に照射することを特徴とする光照射による鶏の産卵調整方法。
【請求項２】
前記単波長の光はピーク波長が４６０ｎｍの青色光である請求項１に記載の光照射による鶏の産卵調整方法。
【請求項３】
前記単波長の光はピーク波長が５２０ｎｍの緑色光である請求項１に記載の光照射による鶏の産卵調整方法。
【請求項４】
前記単波長の光を７０ルクス以下で鶏に照射する請求項１乃至３のいずれかに記載の光照射による鶏の産卵調整方法。
【請求項５】
前記単波長の光を１５時間以上連続して鶏に照射する請求項１乃至４のいずれかに記載の光照射による鶏の産卵調整方法。
【請求項６】
前記単波長の光が発光ダイオードから出射された光である請求項１乃至５のいずれかに記載の光照射による鶏の産卵調整方法。
【請求項７】
前記単波長の光を鶏に照射することにより、鶏の産卵を抑制する請求項１乃至６のいずれかに記載の光照射による鶏の産卵調整方法。
【請求項８】
前記単波長の光を鶏に照射することにより、前記単波長の光より長い波長の光を鶏に照射したときに比べて産卵時間を早める請求項１乃至６に記載の光照射による鶏の産卵調整方法。
【発明の詳細な説明】
【技術分野】
【０００１】
本発明は、単波長の光を鶏に照射することによって産卵を調整する方法に係り、特に産卵の抑制と産卵時間の調整に関するものである。
【背景技術】
【０００２】
近年、発光ダイオード（以下ＬＥＤという）の開発により単波長の光を得やすくなり、波長幅の広い白熱電球では不明であった単波長の光照射による効果が、動物及び植物で解明され始め、農業分野での利用に期待が高まっている。特に鶏は、動物の中でも光の影響を強く受けることが知られており、従来から鶏舎では波長幅が広い白熱電球が使用されてきたが、鶏舎内の温度上昇を抑制し、また節電効果の観点から、最近では白熱電球からＬＥＤへの切り替えが進んでいる（特許文献１及び特許文献２）。
【０００３】
特許文献１，２に記載された発明では、ＬＥＤランプで鶏を照射する際のピーク波長が５５０〜６５０ｎｍの範囲に設定されており、赤色光又は赤色光に近い光を鶏に照射することで、白熱電球での照射と同様、産肉と産卵の増加を図ることを目的としていた。
【０００４】
ところで、産卵中期や産卵後期の鶏は秋になると古い羽毛が脱落して新しい羽毛が生える自然換羽が起こり、産卵率が低下すると共に卵質も著しく劣化する。そこで、養鶏の現場では産卵中期や産卵後期になり、産卵及び卵質が低下し始める頃に人為的に換羽を引き起こす強制換羽あるいは誘導換羽を行ない、一旦産卵を停止させることで、その後の産卵および卵質を改善し、加齢に伴う産卵率の低下及び卵質の劣化を防ぎ、飼育期間の延長を図っていた。
【０００５】
しかしながら、従来の強制換羽あるいは誘導換羽は、卵管及び卵巣の萎縮を促すために２週間程度、鶏に与える飼料の量及び質を低下させたり、あるいは全く飼料を与えないようにすることから、鶏に対するストレスがかなり大きい。そのため、鶏を死亡させるおそれがある。
【０００６】
本発明者らは、単波長の光が採卵鶏に及ぼす影響や効果について注目し、鶏に照射する単波長の光によって鶏の産卵性や産卵時間に影響を及ぼすことを知見した。
【先行技術文献】
【特許文献】
【０００７】
【特許文献１】特開２００９−１７１８６６号公報
【特許文献２】特開２０１１−２５３８１３号公報
【発明の概要】
【発明が解決しようとする課題】
【０００８】
本発明が解決しようとする課題は、強制換羽あるいは誘導換羽を行なう際、単波長の中で特に短波長光を鶏に照射して産卵性を低下させることで、鶏にかかるストレスを軽減すると共に、換羽後の産卵および卵質の回復を早めることで経済的な損失をおさえ、飼育期間の延長を図ることである。また、単波長の光を鶏に照射して鶏の産卵時間を調整することで、集卵の便宜を図ることである。
【課題を解決するための手段】
【０００９】
上記目的を達成するため、本発明に係る光照射による鶏の産卵調整方法は、４００〜５５０ｎｍの波長域から選択された一又は二以上の単波長の光を鶏に照射することを特徴とする。
【００１０】
また、前記単波長の光はピーク波長が４６０ｎｍ付近の青色光と、ピーク波長が５２０ｎｍ付近の緑色光であることが望ましい。また、このような単波長の光を照射する光源としてはＬＥＤランプが好ましい。
【００１１】
波長が４００〜８００ｎｍと波長幅の広い白熱電球や６００〜８００ｎｍの赤色光に対して、波長幅を絞って照射することで、必要な波長の光を集中的に照射することが可能となる。
【００１２】
本発明では光源に高輝度ＬＥＤランプを使用している。ＬＥＤランプは、発光素子を選択することで、単色光を得られるという特性を有しているので、必要な波長の光を集中的に照射することができる。本発明ではピーク波長が４６０ｎｍ付近の青色光又はピーク波長が５２０ｎｍ付近の緑色光を利用する。
【００１３】
産卵初期、産卵中期又は産卵後期の鶏に青色光を出射する青色光ＬＥＤランプ又は緑色光を出射する緑色光ＬＥＤランプの光を照射すると、日齢に関係なく産卵個数を減らすことができる。また、同時に産卵と関係がある性ホルモンの血漿中の濃度も低下させることで産卵の抑制効果が期待できる。この産卵の抑制は、赤色光を出射する赤色光ＬＥＤランプ又は白熱電球からの光を照射することによって、産卵の増加を得るようにした従来の効果とは逆の結果を生むものである。
【００１４】
上記のように、青色光や緑色光を照射することで、鶏の産卵率が低下したとしても、卵殻強度、卵殻厚、卵黄重量などの卵質や鶏の体重や臓器重量などは、赤色光や白熱電球で照射した場合の値とほとんど変わることがないので、鶏にかかるストレスは少なく鶏の成育に影響を及ぼさない。
【００１５】
上記のように、単波長の青色光又は緑色光を照射したときに、卵質や鶏の体重や臓器重量を変化させることなく産卵を抑制できる理由として、以下のことが考えられる。鶏を含めていわゆる鳥類は、一般的に見える波長の領域が広く、人間では見えない紫外線領域まで見えると言われている。また、渡り鳥などは、磁場を感じて方向を認識し正確に目的の場所までたどり着くと言われており、その磁場の感知に青色光と緑色光が関与しているという報告もある。このように、鳥は青色光や緑色光などの短波長領域での感受性が強いことから、産卵抑制にも何らかの形で関与したものと考えられる。
【００１６】
また、本発明では単波長の光であっても波長の長短によって産卵時間を調整できることを見出した。青色光や緑色光など短波長の光を照射することで照射後の産卵時間を早めることができる。加えて１日を通じて平均的に産卵させることができるので、産卵直後の新鮮鶏卵を販売する直売型鶏卵農家にとっては有用性の高い調整法となる。
【００１７】
一方、赤色光のような長波長の光を照射した場合には白熱電球と同様の傾向を示して、照射後の産卵時間を遅らせることができる。そして、照射開始４〜５時間後に産卵のピークがくることから、集卵予定時間の４〜５時間前に赤色光を鶏に照射することで、一度に集中的に集卵することができ、自動機による集卵を行っているような鶏卵農家では労力の軽減を期待できる。
【００１８】
上記のように、鶏に照射する光の波長の長短によって産卵時間に違いが生じる理由の一つには、鶏の光に対する感受性の高さにあると思われる。特に、鶏は紫外光感受性タンパク質であるOpn5を持っているため、短波長に対して迅速に反応できる能力があると考えられる。鶏は暗期に卵を形成して、光を感じる（明期）ことで産卵（放卵）が始まると言われているが、光を感じるためには光受容タンパク質のロドプシンが関与していると考えられる。そして、前記ロドプシンの吸収スペクトルは緑色光とほぼ一致しており、また、ロドプシンの中に含まれる光の色を感じるレチナールの吸収最大波長（３８０ｎｍ）が青色光の波長とほぼ一致していることから、産卵するために必要な光の反応速度が青色光や緑色光などの短波長の照射光でより高まり、産卵時間が早まるものと考えられる。
【００１９】
一方、鶏が持っている赤色感受性タンパク質は、前記ロドプシンとの相同性が低いために、長波長の赤色光に対して反応速度が遅くなる結果、産卵時間の遅れとなって現れるものと考えられる。
【００２０】
上記のように、鶏に照射する光の波長を変えることによって、産卵時間を早めたり遅らせたりすることができるのに加えて、産卵数を一日を通して平均化できたり、あるいは産卵数を一日のある時点でピークを迎えるような調整が可能となる。
【００２１】
また、本発明に係る産卵調整方法では、青色光又は緑色光を７０ルクス以下で鶏に照射することが望ましい。照度が産卵抑制にどの程度関与するかまだ十分には検証されてないが、従来の赤色光ＬＥＤランプ又は白熱電球での光の照射による照度で同程度であれば、十分に効果が認められ、産卵初期は１０ルクス程度、産卵後期は７０ルクス程度で効果が見られる。
【発明の効果】
【００２２】
本発明に係る単波長光の照射による鶏の産卵調整方法によれば、鶏の産卵を無理なく抑制することができるので、強制換羽あるいは誘導換羽を行なう際にも、従来の換羽方法に波長の効果を組み合わせることで、換羽期間の短縮を図ることが可能となり、鶏にかかるストレスを軽減できる。そのため、換羽後の産卵の回復が早まるとともに、鶏の生育に悪影響を及ぼすことがない。
【００２３】
また、本発明による産卵時間の調整方法によれば、照射する単波長の光の波長を変えることで、鶏の産卵時間を早めたり遅らせたりすることができる。そのため、各鶏卵農家の集卵状況に応じた産卵時間の調整が可能となる。特に波長の短い青色光や緑色光では照射後１〜２時間で産卵し、波長の長い赤色光では照射後４〜５時間で産卵するので、時間単位での産卵調整が期待できる。
【図面の簡単な説明】
【００２４】
【図１】本発明の各実施例における鶏舎の概念図である。
【図２】実施例１における試験区１〜４の集卵時刻ごとの産卵割合を示すグラフである。
【図３】実施例２における試験区１〜４の集卵時刻ごとの産卵割合を示すグラフである。
【図４】実施例３における試験区１〜４の集卵時刻ごとの産卵割合を示すグラフである。
【発明を実施するための形態】
【００２５】
以下、本発明の好適な実施例について説明するが、本発明はこれらの実施例に限定されるものではない。
【実施例１】
【００２６】
１８４〜２６７日齢の鶏に短波長の光を照射し、産卵等にどのような影響を及ぼすかについて試験した。
【００２７】
飼養鶏舎：開放鶏舎を改造したウインドウレス鶏舎を使用し、図１に示したように、鶏舎１の全体を暗幕２ａ，２ｂ，２ｃで４つの部屋３ａ，３ｂ，３ｃ，３ｄに仕切って試験区１〜４とした。各部屋３ａ〜３ｄには二段ケージ４(一区画7.5×13寸)が設置され、各ケージ４で鶏９を単飼い（1ケージ１羽飼い）とした。
【００２８】
実施例で使用した鶏：１８４〜２６７日齢のボリスブラウン種を供試した。供試羽数は、１試験区８０羽であり、２０羽ずつ４回に分けて４反復とし、４試験区の合計で３２０羽である。
【００２９】
照射ランプ：試験区１は白熱電球５(４０W)、試験区２は青色光ＬＥＤランプ６(株式会社鍋清製のDPDL-B-4.2W)、試験区３は緑色光ＬＥＤランプ７(株式会社鍋清製のDPDL-G-4.2W)、試験区４は赤色光ＬＥＤランプ８(株式会社鍋清製のDPDL-R-4.2W)をそれぞれ使用した。青色光ＬＥＤランプ６の照度を基準とし、その照度に合わせるために、緑色光ＬＥＤランプ７及び赤色光ＬＥＤランプ８に光透過率の低いフィルムを被せて調整した。また、白熱電球５の照度は調光器で調整した。
【００３０】
照射条件：１部屋ごとに４つのランプを均等に配置し、いずれもランプ直下（84.5ｃｍ）で１０ルクスに調整した。試験区１の白熱電球５の波長は400〜800ｎｍ、試験区２の青色光ＬＥＤランプ６の波長は447.67〜468.16ｎｍ（ピーク波長：457.39ｎｍ）、試験区３の緑色光ＬＥＤランプ７の波長は507.00〜538.60ｎｍ（ピーク波長：521.28ｎｍ）、試験区４の赤色光ＬＥＤランプ８の波長は622.72〜637.40ｎｍ（ピーク波長：631.48ｎｍ）である。照射時間は１５時間連続点灯（午前５時〜午後８時）である。
【００３１】
上記のように１５時間連続点灯を４反復した後、各試験区１〜４の産卵成績、卵質検査、血清中のホルモン濃度、時刻ごとの産卵割合について、４反復の平均値を算出した。
【００３２】
表１に、試験区１〜４の産卵率と飼料摂取量を示す。産卵率は、各試験区１〜４ごとに供試羽数が産卵した卵の個数を出し、ヘンディ産卵率に基づいて算出した。
【００３３】
【表１】
2015192654.tif 000002
【００３４】
表１の結果から、青色光ＬＥＤランプ６で照射した試験区２及び、緑色光ＬＥＤランプ７で照射した試験区３の産卵率が、白熱電球５で照射した試験区１及び、赤色光ＬＥＤランプ８で照射した試験区４に比べて約５〜６％低下することが確認された。また、飼料摂取量は、試験区による大きな差は認められない。このように、試験区１〜４の飼料摂取量に違いが見られなかったことからも、産卵初期における鶏の産卵率の低下は、青色光ＬＥＤランプ６や緑色光ＬＥＤランプ７など短波長での光の照射による生理的な変化によるものと考えられる。
【００３５】
表２に試験区１〜の卵質検査の結果を示す。
【００３６】
【表２】
2015192654.tif 000003
【００３７】
表２の卵質検査では卵殻強度、卵殻厚、ハウユニット、卵黄重量、卵黄／卵重を検査し、試験区１〜４においてそれらの結果を比較した。各検査項目とも試験区による値に大きな差は認められない。その結果、産卵初期における鶏の産卵率の低下が、卵質に影響を与えていないことが明らかとなった。
【００３８】
表３に試験区１〜４の血清中のホルモン濃度を示す。産卵６〜７時間後の２１７日齢又は２６０日齢の鶏から採血し、遠心分離機により血漿を分離した。エストラジオール17βの濃度は、GWB社のEstradiol 17b EIA kit 96testsを用いてエライザ法により測定した。測定は使用したキットに準じて行なった。
【００３９】
【表３】
2015192654.tif 000004
【００４０】
表３の結果によれば、２１７日齢及び２６０日齢の鶏ともに、青色光ＬＥＤランプ６で照射した試験区２及び、緑色光ＬＥＤランプ７で照射した試験区３は、白熱電球５で照射した試験区１及び、赤色光ＬＥＤランプ８で照射した試験区４に比べて、血漿中のエストラジオール17βの濃度が低くなることが確認された。エストラジオール17βは、産卵及び卵黄形成に影響を与えるホルモンであることから、特定波長の光の照射による濃度の低下が産卵の抑制に影響を与えるものと考えられる。
【００４１】
表４及び図２には試験区１〜４における集卵時刻ごとの産卵割合を示した。集卵時刻は、点灯してから１時間後の午前６時、３時間後の午前８時、５時間後の午前１０時、７時間後の１２時、１１時間後の午後４時の５回である。なお、各回の産卵割合に関する統計処理は角変換処理後、テューキー法（Tukey method）により算出した。
【００４２】
【表４】
2015192654.tif 000005
【００４３】
表４及び図２の結果によれば、青色光ＬＥＤランプで照射した試験区２と緑色光ＬＥＤランプで照射した試験区３が共に同じ傾向を示し、赤色光ＬＥＤランプで照射した試験区４と白熱電球で照射した試験区１が共に同じ傾向を示した。前者の場合は、５回を通した産卵割合に大きな変化はないが、後者と比べた場合、午前６時の産卵割合が高いのが特徴的である。一方、後者の場合は、午前６時の産卵割合が極端に低いもののその後は急激に高くなり、午前１０時にピークを迎え、前者と比べてもかなりの差がある。
【実施例２】
【００４４】
３９２〜４８３日齢の鶏に、上記実施例１と同様の短波長の光を照射し、産卵等にどのような影響を及ぼすかについて試験した。
【００４５】
飼養鶏舎：上記実施例１と同様のウインドウレス鶏舎を使用した。鶏舎を構成する部材については、図１に付した符合を用いることで詳細な説明を省略する。
【００４６】
試験に使用した鶏：３９２〜４８３日齢のボリスブラウン種を供試した。供試羽数は、１試験区１００羽であり、２５羽ずつ４回に分けて４反復とし、４試験区の合計で４００羽である。
【００４７】
照射ランプ：試験区１は白熱電球５(４０W)、試験区２は青色光ＬＥＤランプ６(株式会社鍋清製のDPDL-B-10W)、試験区３は緑色光ＬＥＤランプ７(株式会社鍋清製のDPDL-G-10W)、試験区４は赤色光ＬＥＤランプ８(株式会社鍋清製のDPDL-R-9W)をそれぞれ使用した。青色光ＬＥＤランプ６の照度を基準とし、その照度に合わせるために、緑色光ＬＥＤランプ７及び赤色光ＬＥＤランプ８に光透過率の低いフィルムを被せて調整した。また、白熱電球５の照度は調光器で調整した。
【００４８】
照射条件：１部屋ごとに４つのランプを均等に設置し、いずれもランプ直下（84.5ｃｍ）で７０ルクスに調整した。また、照射時間は１６時間連続点灯（午前４時〜午後８時）である。なお、各試験区１〜４における各ランプの波長は上記実施例１と同一なので、詳細な説明を省略する。
【００４９】
上記のように１６時間連続点灯を４反復した後、各試験区１〜４の産卵成績、卵質検査、体重及び臓器重量、血清中のホルモン濃度、時刻ごとの産卵割合について、４反復の平均値を算出した。
【００５０】
表５に、試験区１〜４の産卵率と飼料摂取量を示す。産卵率は、各試験区１〜４ごとに供試羽数が産卵した卵の個数を出し、ヘンディ産卵率に基づいて算出した。
【００５１】
【表５】
2015192654.tif 000006
【００５２】
表５の結果によれば、産卵率は、実施例１に比べて全体的に低下しているが、青色光ＬＥＤランプ６で照射した試験区２及び、緑色光ＬＥＤランプ７で照射した試験区３の産卵率が、白熱電球５で照射した試験区１及び、赤色光ＬＥＤランプ８で照射した試験区４に比べて約５〜６％低下する傾向は実施例１と同様である。また、飼料摂取量が全試験区で差が見られない傾向は実施例１と同様である。このような産卵成績の結果から、産卵後期における鶏の産卵率の低下も、実施例１と同様、青色光ＬＥＤランプ６や緑色光ＬＥＤランプ７など短波長での光の照射による生理的な変化によるものと考えられる。
【００５３】
表６に試験区１〜４の卵質検査の結果、表７に体重及び臓器重量を示す。
【００５４】
【表６】
2015192654.tif 000007
【００５５】
【表７】
2015192654.tif 000008
【００５６】
表６の卵質検査では、実施例１と同様、卵殻強度、卵殻厚、ハウユニット、卵黄重量、卵黄／卵重を検査し、試験区１〜４においてそれらの結果を比較した。各検査項目とも試験区による値に大きな差は認められない。また、表７の体重及び臓器重量検査では、脾臓重量／体重、脂肪重量／体重、体重の増減を検査し、試験区１〜４の値を比較したが、試験区による差は認められなかった。その結果、産卵後期においても鶏の産卵率の低下が、卵質や体重などに影響を与えていないことが明らかとなった。
【００５７】
表８に試験区１〜４の血清中のホルモン濃度を示す。産卵約７時間後の４２１日齢の鶏から採血し、遠心分離機により血漿を分離した。エストラジオール17βの濃度は、実施例１と同様、GWB社のEstradiol 17b EIA kit 96testsを用いてエライザ法により測定した。測定は使用したキットに準じて行なった。
【００５８】
【表８】
2015192654.tif 000009
【００５９】
表８の結果によれば、産卵後期のエストラジオール17βの濃度は、実施例１に比べて全体的に低下しているが、青色光ＬＥＤランプ６で照射した試験区２及び、緑色光ＬＥＤランプ７で照射した試験区３の濃度が、白熱電球５で照射した試験区１及び、赤色光ＬＥＤランプ８で照射した試験区４に比べて、低くなる傾向は実施例１と同様であった。特に、緑色光ＬＥＤランプ７で照射した試験区３の濃度はかなり低い値を示している。このように、産卵後期における特定波長の光照射による血漿中のエストラジオール17βの濃度低下は、産卵前期と同じような傾向を示すことが明らかになった。
【００６０】
表９及び図３には試験区１〜４における時刻ごとの産卵割合を示した。集卵時刻は、点灯してから２時間後の午前６時、４時間後の午前８時、６時間後の午前１０時、８時間後の１２時、１２時間後の午後４時の５回である。なお、各回の産卵割合に関する統計処理は角変換処理後、テューキー法（Tukey method）により算出した。
【００６１】
【表９】
2015192654.tif 000010
【００６２】
表９及び図３の結果によれば、青色光ＬＥＤランプ及び緑色光ＬＥＤランプで照射した試験区２，３と、白熱電球及び赤色光ＬＥＤランプで照射した試験区１，４とでは、照射後最初の集卵時刻である午前６時の産卵割合を除いて、大体同じような傾向を示しており、いずれの場合も照射４時間後の午前８時の集卵時刻に産卵のピークを迎えている。また、実施例１と同様、前者の場合は午前６時の産卵割合が後者と比べて非常に高くなっているのが特徴的である。
【実施例３】
【００６３】
６６１〜７０８日齢の鶏に、上記実施例１と同様の短波長の光を照射し、産卵等にどのような影響を及ぼすかについて試験した。
【００６４】
飼養鶏舎：上記実施例１と同様のウインドウレス鶏舎を使用した。鶏舎を構成する部材については、図１に付した符合を用いることで詳細な説明を省略する。
【００６５】
試験に使用した鶏：６６１〜７０８日齢のボリスブラウン種を供試した。供試羽数は、１試験区８０羽であり、２０羽ずつ４回に分けて４反復とし、４試験区の合計で３２０羽である。
【００６６】
照射ランプ：試験区１は白熱電球５(４０W)、試験区２は青色光ＬＥＤランプ６(株式会社鍋清製のDPDL-B-4.2W)、試験区３は緑色光ＬＥＤランプ７(株式会社鍋清製のDPDL-G-4.2W)、試験区４は赤色光ＬＥＤランプ８(株式会社鍋清製のDPDL-R-4.2W)をそれぞれ使用した。青色光ＬＥＤランプ６の照度を基準とし、その照度に合わせるために、緑色光ＬＥＤランプ７及び赤色光ＬＥＤランプ８に光透過率の低いフィルムを被せて調整した。また、白熱電球５の照度は調光器で調整した。
【００６７】
照射条件：１部屋ごとに４つのランプを均等に設置し、いずれもランプ直下（84.5ｃｍ）で１０ルクスに調整した。また、照射時間は１６時間連続点灯（午前４時３０〜午後８時３０）である。なお、各試験区１〜４における各ランプの波長は上記実施例１と同一なので、詳細な説明を省略する。
【００６８】
上記のように１６時間連続点灯を４反復した後、各試験区１〜４における時刻ごとの産卵割合について、４反復の平均値を算出した。
【００６９】
表１０及び図４には試験区１〜４における時刻ごとの産卵割合を示した。集卵時刻は、点灯してから１時間３０分後の午前６時、３時間３０分後の午前８時、５時間３０分後の午前１０時、７時間３０分後の１２時、１１時間３０分後の午後４時の５回である。なお、各回の産卵割合に関する統計処理は角変換処理後、テューキー法（Tukey method）により算出した。
【００７０】
【表１０】
2015192654.tif 000011
【００７１】
表１０及び図４の結果によれば、青色光ＬＥＤランプ及び緑色光ＬＥＤランプで照射した試験区２，３と、白熱電球及び赤色光ＬＥＤランプで照射した試験区１，４とでは、照射後最初の集卵時刻である午前６時の産卵割合を除いて、大体同じような傾向を示しており、いずれの場合も照射３時間３０分後の午前８時の集卵時刻に産卵のピークを迎えているが、他の集卵時刻に比べて産卵割合が非常に高く約３５〜４０％となっている。また、実施例１及び実施例２と同様、前者の場合は午前６時の産卵割合が後者と比べて非常に高くなっているのが特徴的である。
【００７２】
このように、実施例１〜３のいずれの場合も青色光ＬＥＤランプ及び緑色光ＬＥＤランプで照射した場合と、赤色光ＬＥＤランプ及び白熱電球で照射した場合とで、光の照射開始１〜２時間後の最初の集卵時の産卵割合が大きく異なっており、照射後における産卵時間の調整を容易に行うことができる。青色光ＬＥＤランプ及び緑色光ＬＥＤランプを使用した場合には、照射開始１〜２時間後の早朝に数多く集卵できるように調整できると共に赤色光ＬＥＤランプや白熱電球で照射した場合に比べて、集卵時刻毎の産卵割合の変化が小さいことから、産卵直後の新鮮鶏卵を販売する直売型鶏卵農家にとっては極めて有用性が高い。一方、赤色光ＬＥＤランプや白熱電球を使用した場合には、照射開始４〜５時間後に産卵のピークが来るように調整できるので、自動機による集卵を行っているような鶏卵農家では一度に集中的に集卵することができることから労力の軽減を期待することができる。
【００７３】
上記の各実施例では、鶏の種類としてボリスブラウン種を使用した場合について説明したが、本発明では他の種類の鶏であっても、養鶏種として一般に知られている種類の鶏についても適用されるものである。
【符号の説明】
【００７４】
１  鶏舎
２ａ，２ｂ，２ｃ  暗幕
３ａ，３ｂ，３ｃ，３ｄ  部屋
４  二段ケージ
５  白熱電球
６  青色光ＬＥＤランプ
７  緑色光ＬＥＤランプ
８  赤色光ＬＥＤランプ
９  ケージ内の鶏
【図１】
2015192654.tif 000012
【図２】
2015192654.tif 000013
【図３】
2015192654.tif 000014
【図４】
2015192654.tif 000015